(57)【要約】【課題】  安価で簡便に放電灯３２の立ち消えを確実に検出可能とす。【解決手段】  補助電源用コンデンサ２６を介してスイッチング素子２１と並列に接続される高インピーダンス回路４１を備える。前記高インピーダンス回路４１は点灯時における点灯回路３０よりも高インピーダンスであり、前記補助電源用コンデンサ２６の前記点灯回路側の直流バイアス成分の電位を監視する、抵抗４２とコンデンサ４３からなる検出回路４０を備える。【選択図】    図１
2005135883.tif 000002
【特許請求の範囲】
【請求項１】
直流電源の出力端子間に接続される順直列一対の第一スイッチング素子・第二スイッチング素子を備え、前記第一スイッチング素子・第二スイッチング素子の接続点に一端が接続された補助電源用コンデンサを備え、前記補助電源用コンデンサを介して前記第二スイッチング素子と並列に接続される点灯回路を備え、
前記点灯回路は放電灯と該放電灯に直列のバラスト用インダクタを含み、前記補助電源用コンデンサを介して前記第一スイッチング素子と並列に接続される高インピーダンス回路を備え、前記高インピーダンス回路は点灯時における前記点灯回路よりも高インピーダンスであり、前記補助電源用コンデンサの前記点灯回路側の電位を監視し該電位変化が所定の閾値を越えたときに前記放電灯を不点灯状態と判定する判定回路を備えたことを特徴とする放電灯点灯装置。
【発明の詳細な説明】
【技術分野】
【０００１】  本発明は放電灯点灯装置の放電灯立ち消え時の検出方法に関する。
【背景技術】
【０００２】  従来装置の回路図を図２に示す。図２は周知のハーフブリッジ回路の例である。このインバータ装置は、直流電源１０の両端に直列接続された、スイッチング素子２１・２２を駆動回路２５にて交互にオンオフしてスイッチング素子２２の両端に補助電源用コンデンサ２６を介して接続された点灯回路３０に高周波電力を供給するものである。点灯回路３０は放電灯３２とバラスト用インダクタ３１と予熱共振用コンデンサ３３にて構成されている。さらに、バラスト用インダクタ３１と放電灯３２との間にはランプ電流検出トランス５０の巻線５１、放電灯３２と予熱共振用コンデンサ３３との間には巻線５２が夫々接続されている。ランプ電流検出トランス５０の巻線５１と巻線５２とは極性が逆になるように巻線されており、巻線５１と巻線５２とに同一位相で同一電流値の電流が流れた場合、ランプ電流検出トランス５０の検出巻線５３には電圧が発生しない構成となっている。
いま、駆動回路２５にてスイッチング素子２１・２２を交互にオンオフしてスイッチング素子２２の両端に補助電源用コンデンサ２６を介して接続された点灯回路３０に高周波電力が供給され、放電灯３２が放電しているとき、ランプ電流検出トランス５０の巻線５１には放電灯３２の放電電流（ランプ電流）と予熱共振用コンデンサ３３とに流れる電流の合成電流が流れる。一方、ランプ電流検出トランス５０の巻線５２には予熱共振用コンデンサ３３に流れる電流のみのため、ランプ電流検出トランス５０の検出巻線５３両端には放電灯３２の放電電流（ランプ電流）に見合った電圧が発生する。この電圧が発生していれば判定回路４４は放電灯３２が正常に点灯していると判断する。
一方、放電灯３２の異常、または構成部品の故障等により放電灯３２が立ち消えて放電電流（ランプ電流）が流れなくなった場合、ランプ電流検出トランス５０の巻線５１、巻線５２ともに同一位相で予熱共振用コンデンサ３３に流れる電流のみ流れるのため、ランプ電流検出トランス５０の検出巻線５３両端には電圧が発生しない。このため、判定回路４４は放電灯３２が何らかの異常により立ち消えたと判定し、駆動回路２５の発振を停止させる制御を行う。
【発明の開示】
【発明が解決しようとする課題】
【０００３】  上記従来技術は、放電灯の立ち消えを検出する方法としてランプ電流をトランスを使用して検出を行っていたため、高価なものとなってしまう問題があった。
本発明の目的は安価で簡便に放電灯の立ち消えを確実に検出可能とすることにある。
【課題を解決するための手段】
【０００４】  上記目的を達成するために、本発明は補助電源用コンデンサを介してスイッチング素子と並列に接続される高インピーダンス回路を備え、前記高インピーダンス回路は点灯時における点灯回路よりも高インピーダンスであり、前記補助電源用コンデンサの前記点灯回路側の直流バイアス成分の電位を監視する、抵抗とコンデンサからなる検出回路４０を備える構成としている。
【発明の効果】
【０００５】  放電灯が点灯している時、高インピーダンス回路のインピーダンスは点灯回路のインピーダンスに比べ高インピーダンスであるため、補助電源用コンデンサの点灯回路側の電位は直流バイアス成分のない交流電位となっている。このため、検出回路のコンデンサには同一値の充・放電電流が流れ、コンデンサ両端には電圧が発生しない。【０００６】  一方、放電灯が立ち消えた場合、点灯回路のインピーダンスが高インピーダンスとなり、補助電源用コンデンサの点灯回路側の電位は高インピーダンス回路による直流バイアスの影響が大きくなるため、交流電位に直流バイアスが重畳された電位となる。このため、検出回路のコンデンサに流れる電流の充電、放電電流のバランスが崩れ、充電電流が放電電流より多くなり、コンデンサ両端に電圧が発生する。このコンデンサ両端の発生電圧を判定回路にて判定することで放電灯の立ち消えを検出することができる。
【発明を実施するための最良の形態】
【０００７】  以下本発明の実施形態を図１により説明する。図１は一般的に知られるハーフブリッジ回路の例である。このインバータ装置は、直流電源１０の両端に直列接続された、スイッチング素子２１・２２を駆動回路２５にて交互にオンオフしてスイッチング素子２２の両端に補助電源用コンデンサ２６を介して接続された点灯回路３０に高周波電力を供給するものである。点灯回路３０は放電灯３２とバラスト用インダクタ３１と予熱共振用コンデンサ３３にて構成されている。さらに前記補助電源用コンデンサ２６を介してスイッチング素子２１と並列に接続される高インピーダンス回路４１を備え、前記高インピーダンス回路４１は点灯時における点灯回路３０よりも高インピーダンスであり、前記補助電源用コンデンサ２６の前記点灯回路側の直流バイアス成分の電位を監視する、抵抗４２とコンデンサ４３からなる検出回路４０を備える構成としている。【０００８】  いま、駆動回路２５にてスイッチング素子２１・２２を交互にオンオフしてスイッチング素子２２の両端に補助電源用コンデンサ２６を介して接続された点灯回路３０に高周波電力が供給され、放電灯３２が放電しているとき、高インピーダンス回路４１のインピーダンスは点灯回路３０のインピーダンスに比べ高インピーダンスであるため、補助電源用コンデンサ２６の点灯回路側の電位は直流バイアス成分のない交流電位となっている。このため、検出回路４０のコンデンサ４３には同一値の充・放電電流が流れ、コンデンサ４３両端には電圧が発生しない。このため、コンデンサ４３の両端電圧が入力される判定回路４４では入力信号が閾値以下であることから放電灯は正常に点灯していると判断する。【０００９】  一方、放電灯３２の異常、または構成部品の故障等により放電灯３２が立ち消えて放電電流（ランプ電流）が流れなくなった場合、点灯回路３０のインピーダンスが高インピーダンスとなり、補助電源用コンデンサ２６の点灯回路側の電位は高インピーダンス回路４１による直流バイアスの影響が大きくなるため、交流電位に直流バイアスが重畳された電位となる。このため、検出回路４０のコンデンサ４３に流れる電流の充電、放電電流のバランスが崩れ、充電電流が放電電流より多くなり、コンデンサ４３両端に電圧が発生する。このコンデンサ４３の両端電圧が入力される判定回路４４では入力信号が閾値以上になるため放電灯３２は立ち消えたと判定し、駆動回路２５の発振を停止させる制御を行う。【００１０】  また、検出回路４０は補助電源用コンデンサ２６の点灯回路側の電位を検出しているため、部品の付加無しに放電灯３２の寿命の検出も可能である。放電灯３２は寿命末期になると整流作用がおこり、この整流作用により、補助電源用コンデンサ２６の点灯回路側の電位は交流電位に直流バイアスが重畳された電位となる。このため検出回路４０のコンデンサ４３が＋方向、または−方向に充電されるため、判定回路４４にてコンデンサ４３の電圧がある閾値を超えるかどうかで放電灯３２の寿命検出も可能である。【００１１】  本発明によれば、安価で簡便な回路構成にて放電灯３２の立ち消えを検出するとともに、放電灯３２の寿命も同一回路にて検出することができる。
【図面の簡単な説明】
【００１２】
【図１】本発明装置の回路図である。
【図２】従来装置の回路図である。
【符号の説明】
１０：直流電源
２１、２２：主スイッチング素子
２３、２４：フライホイールダイオード
２５：駆動回路
２６：補助電源用コンデンサ
３１：バラスト用インダクタ
３２：放電灯
３３：予熱共振用コンデンサ
４１：高インピーダンス回路
４２：抵抗
４３：コンデンサ
４４：判定回路
５０：ランプ電流検出トランス
【図１】
2005135883.tif 000003
【図２】
2005135883.tif 000004